(57)【要約】受信側で受信データのエラーレートと目標エラーレートを比較して目標とする希望波／干渉波比率（ＳＩＲ）を制御し、測定ＳＩＲが該目標ＳＩＲに一致するように送信側に送信電力制御を行わせる送信電力制御方法である。予めエラーレートとＳＩＲの対応特性を測定して保存し、目標エラーレートに対する第１のＳＩＲと測定エラーレートに対する第２のＳＩＲをこの対応特性より求め、第１のＳＩＲと第２のＳＩＲとの差分で目標ＳＩＲを増減して該目標ＳＩＲを更新する。
2004114551.tif 000002
【特許請求の範囲】
【請求項１】
受信側で受信データのエラーレートと目標エラーレートを比較して目標とする希望波／干渉波比率（ＳＩＲ）を制御し、測定ＳＩＲが該目標ＳＩＲに一致するように送信側に送信電力制御を行わせる送信電力制御方法において、
予めエラーレートとＳＩＲの対応特性を測定して保存しておき、
目標エラーレートに対する第１のＳＩＲと測定エラーレートに対する第２のＳＩＲを前記対応特性より求め、
前記第１のＳＩＲと第２のＳＩＲとの差分で前記目標ＳＩＲを増減して該目標ＳＩＲを更新する、
ことを特徴とする送信電力制御方法。
【請求項２】
複数のサービスを多重して送信する場合の各サービスのエラーレートとＳＩＲの対応特性を、多重するサービスの組み合わせ毎に予め測定して保存しておき、
所定の組み合わせの複数のサービスを多重して送信する場合、該組み合わせにおける各サービスの目標エラーレートに対する第１のＳＩＲと測定されたエラーレートに対する第２のＳＩＲを該特性より求め、
前記サービス毎の前記第１のＳＩＲと第２のＳＩＲとの差分に基づいて前記目標ＳＩＲを増減して該目標ＳＩＲを更新する、
ことを特徴とする請求項１記載の送信電力制御方法。
【請求項３】
第１の規定時間内にエラーレートを所要エラーレートの規定範囲内に引き込むために、第１の周期で前記目標ＳＩＲを更新し、引き込み後、第２の規定時間内にエラーレートを前記規定範囲内に収束させるために、第１周期より長い第２の周期で前記目標ＳＩＲを更新する、
ことを特徴とする請求項１又は２記載の送信電力制御方法。
【請求項４】
前記測定エラーレートを取得するために要する時間と前記第１の規定時間を比較して前記第１の周期ｔ１を決定し、この第１の周期ｔ１で引き込み時に目標ＳＩＲを更新する、
ことを特徴とする請求項３記載の送信電力制御方法。
【請求項５】
前記測定エラーレートを取得するために要する時間が前記第１の規定時間より大きい場合には、初期設定の目標ＳＩＲを所要のエラーレートを満足するＳＩＲより十分に大きく設定し、前記第１の周期をエラー有無判定周期とし、該周期でエラー発生を調べ、エラーが発生しなければ目標ＳＩＲを所定量減少し、エラーが発生した時引き込み完了と判定する、
ことを特徴とする請求項３記載の送信電力制御方法。
【請求項６】
前記第２の時間ｔ２（＞ｔ１）、あるいは、ｔ２＝α・ｔ１としたときのα（＞１）を予め保存しておき、引き込み後にこの第２の周期ｔ２で目標ＳＩＲを更新する、
ことを特徴とする請求項４記載の送信電力制御方法。
【請求項７】
サービス品質に応じて前記対応特性を保存しておき、トランスポートチャネルのサービスに応じた特性を用いて前記目標ＳＩＲを更新する、
ことを特徴とする請求項１記載の送信電力制御方法。
【請求項８】
前記特性を直線近似して保持する、
ことを特徴とする請求項１又は２記載の送信電力制御方法。
【請求項９】
予め静的な環境における前記第２周期のＳＩＲの変動幅を保存しておき、
実際のＳＩＲの変動幅が前記保存されている変動幅より設定値以上であれば、前記第２周期を短くする
とを特徴とする請求項３記載の送信電力制御方法。
【請求項１０】
前記第２周期より長いエラーレート測定期間を設け、その期間のエラーレートが所要エラーレートより設定値以上劣化している場合には目標ＳＩＲを所定量増加し、所要エラーレートより設定値以上良好の場合には目標ＳＩＲを所定量減少する、
ことを特徴とする請求項３記載の送信電力制御方法。
【請求項１１】
所定の組み合わせの複数のサービスを多重して送信する場合、該組み合わせにおける各サービスの所要エラーレート範囲が重ならない場合、より高い品質が要求されるサービスの所要エラーレート値を満たすように目標ＳＩＲを更新する、
ことを特徴とする請求項２記載の送信電力制御方法。
【請求項１２】
所定の組み合わせの複数のサービスを多重して送信する場合、該組み合わせにおける各サービスの所要エラーレート範囲が重ならない場合、より低い品質が要求されるサービスの所要エラーレート値を満たすように目標ＳＩＲを更新する、
ことを特徴とする請求項２記載の送信電力制御方法。
【請求項１３】
受信側で受信データのエラーレートと目標エラーレートを比較して目標とする希望波／干渉波比率（ＳＩＲ）を制御し、測定ＳＩＲが該目標ＳＩＲに一致するように送信側に送信電力制御を行わせる送信電力制御装置において、
予め測定されたエラーレートとＳＩＲの対応特性を保存する手段、
目標エラーレートに対する第１のＳＩＲと測定エラーレートに対する第２のＳＩＲを前記対応特性より取得する手段、
前記第１のＳＩＲと第２のＳＩＲとの差分で前記目標ＳＩＲを増減して該目標ＳＩＲを更新する目標ＳＩＲ更新手段、
を備えたことを特徴とする送信電力制御装置。
【請求項１４】
受信側で受信データのエラーレートと目標エラーレートを比較して目標とする希望波／干渉波比率（ＳＩＲ）を制御し、測定ＳＩＲが該目標ＳＩＲに一致するように送信側に送信電力制御を行わせる送信電力制御装置において、
複数のサービスを多重して送信する場合の各サービスのエラーレートとＳＩＲの対応特性を、多重するサービスの組み合わせ毎に予め測定して保存する手段、
所定の組み合わせの複数のサービスを多重して送信する場合、該組み合わせにおける各サービスの目標エラーレートに対する第１のＳＩＲと測定されたエラーレートに対する第２のＳＩＲを該特性より取得する手段、
前記サービス毎の前記第１のＳＩＲと第２のＳＩＲとの差分に基づいて前記目標ＳＩＲを増減して該目標ＳＩＲを更新する目標ＳＩＲ更新手段、
を備えたことを特徴とする送信電力制御装置。
【請求項１５】
第１の規定時間内にエラーレートを所要エラーレートの規定範囲内に引き込むための前記目標ＳＩＲの第１更新周期をｔ１、引き込み後、第２の規定時間内にエラーレートを前記規定範囲内に収束させるための、前記第１の更新周期より長い第２の更新周期をｔ２とし、ｔ２あるいはｔ２＝α・ｔ１としたときのα（＞１）を保存する手段、
を備え、前記目標ＳＩＲ更新手段は、引き込みに際して前記第１の更新周期ｔ１で目標ＳＩＲを更新し、引き込み後、前記第２の更新周期ｔ２で目標ＳＩＲを更新する、
ことを特徴とする請求項１３又は１４記載の送信電力制御装置。
【請求項１６】
前記測定エラーレートを取得するために要する時間が前記第１の規定時間より大きい場合、所要のエラーレートを満足するＳＩＲより十分に大きなＳＩＲを初期目標ＳＩＲとして保存する手段、
を備え、前記目標ＳＩＲ更新手段は、引き込みに際して目標ＳＩＲを前記初期目標ＳＩＲとすると共に、前記前記第１の更新周期ｔ１をエラー有無判定周期とし、該周期でエラー発生を調べ、エラーが発生しなければ目標ＳＩＲを所定量減少し、エラーが発生した時引き込み完了と判定する、
ことを特徴とする請求項１５記載の送信電力制御装置。
【請求項１７】
予め静的な環境における前記第２の更新周期内におけるＳＩＲの変動幅を保存する保存手段、
実際のＳＩＲの変動幅と前記保存されている変動幅を比較し、差が設定値以上であれば、前記第２の更新周期を短くする周期変更手段、
を備えたことを特徴とする請求項１５記載の送信電力制御装置。
【請求項１８】
前記第２の更新周期より長いエラーレート測定期間を設け、その期間のエラーレートが所要エラーレートより設定値以上劣化している場合には目標ＳＩＲを所定量増加し、所要エラーレートより設定値以上良好の場合には目標ＳＩＲを所定量減少する第２の目標ＳＩＲ更新手段、
を備えたことを特徴とする請求項１５記載の送信電力制御装置。
【請求項１９】
前記ＳＩＲ取得手段は、所定の組み合わせの複数のサービスを多重して送信する場合、該組み合わせにおける各サービスの所要エラーレート範囲が重ならない場合、前記所要エラーレートとして、より高い品質が要求されるサービスの所要エラーレートを使用する、
ことを特徴とする請求項１４記載の送信電力制御装置。
【請求項２０】
前記ＳＩＲ取得手段は、所定の組み合わせの複数のサービスを多重して送信する場合、該組み合わせにおける各サービスの所要エラーレート範囲が重ならない場合、前記所要エラーレートとして、より低い品質が要求されるトランスポートチャネルの所要エラーレートを使用する、
ことを特徴とする請求項１４記載の送信電力制御装置。
【発明の詳細な説明】
【技術分野】  本発明は送信電力制御方法及び装置に係わり、特に、Ｗ−ＣＤＭＡ通信システムなどにおいて、受信側で受信データのエラーレートと目標エラーレートを比較して目標とする希望波／干渉波比率（ＳＩＲ）を制御し、測定ＳＩＲが該目標ＳＩＲに一致するように送信側に送信電力制御を行わせる送信電力制御方法及び装置に関する。
【背景技術】  Ｗ−ＣＤＭＡ移動通信では、拡散コードによってチャネルを区別するため、複数のチャネルが一つの周波数帯域を共有することができる。しかし、実際の移動通信環境においては、マルチパスフェージングによる遅延波や他セルからの電波により、受信信号は自チャネル及び他チャネルから干渉を受け、該干渉がチャネル分離に悪影響を与える。また、マルチパスフェージングによる受信電力の瞬時変動や、同時に通話しているユーザ数の変化によって、受信信号が受ける干渉量は時間的に変化する。このように、時間的に変動する干渉を受けるような環境下では、基地局に接続した移動局における受信信号の品質を、所望の品質に安定して保つことは困難である。
このような干渉ユーザ数の変化やマルチパスフェージングによる瞬時値変動に追従するために、受信側で信号対干渉電力比（ＳＩＲ）を測定し、その測定ＳＩＲと目標ＳＩＲを比較することにより、受信側のＳＩＲが目標ＳＩＲに近づくように制御するインナーループ送信電力制御（ｉｎｎｅｒ−ｌｏｏｐ  Ｔｒａｎｓｍｉｓｓｉｏｎ  Ｐｏｗｅｒ  Ｃｏｎｔｒｏｌ）が行われる。
・インナーループ送信電力制御
図１９はインナーループ送信電力制御の説明図であり、１チャネル分のみ示している。基地局１の拡散変調部１ａは指定されたチャネルに応じた拡散コードを用いて送信データを拡散変調し、電力増幅器１ｂは、拡散変調後に直交変調、周波数変換などの処理を施されて入力した信号を増幅してアンテナより移動局２に向けて送信する。移動局の受信部の逆拡散部２ａは受信信号に逆拡散処理を施し、復調部２ｂは受信データを復調する。ＳＩＲ測定部２ｃは受信信号と干渉信号との電力比を測定する。比較部２ｄは目標ＳＩＲと測定ＳＩＲを比較し、測定ＳＩＲが目標ＳＩＲより大きければＴＰＣ（Ｔｒａｎｓｍｉｓｓｉｏｎ  Ｐｏｗｅｒ  Ｃｏｎｔｒｏｌ）ビットで送信電力を下げるコマンドを作成し、測定ＳＩＲが目標ＳＩＲより小さければＴＰＣビットで送信電力をあげるコマンドを作成する。目標ＳＩＲは例えば、１０−３（１０００回に１回の割合でエラー発生）を得るために必要なＳＩＲ値であり、目標ＳＩＲ設定部２ｅより比較部２ｄに入力される。拡散変調部２ｆは送信データ及びＴＰＣビットを拡散変調する。拡散変調後、移動局２はＤＡ変換、直交変調、周波数変換、電力増幅などの処理を施してアンテナより基地局１に向けて送信する。基地局側の逆拡散部１ｃは、移動局２から受信した信号に逆拡散処理を施し、復調部１ｄは受信データ、ＴＰＣビットを復調し、該ＴＰＣビットで指示されたコマンドにしたがって電力増幅器１の送信電力を制御する。
図２０は３ｒｄＧｅｎｅｒａｔｉｏｎ  Ｐａｒｔｎｅｒｓｈｉｐ  Ｐｒｏｊｅｃｔ（以下３ＧＰＰと称す）で標準化されている上りリンク（ｕｐｌｉｎｋ）の個別物理チャネルＤＰＣＨ（Ｄｅｄｉｃａｔｅｄ  Ｐｈｙｓｉｃａｌ  Ｃｈａｎｎｅｌ）フレームの構成図で、送信データのみが送信されるＤＰＤＣＨチャネル（Ｄｅｄｉｃａｔｅｄ  Ｐｈｙｓｉｃａｌ  Ｄａｔａ  Ｃｈａｎｎｅｌ）と、Ｐｉｌｏｔや図１９で説明したＴＰＣビット情報等の制御データが多重されて送信されるＤＰＣＣＨチャネル（Ｄｅｄｉｃａｔｅｄ  Ｐｈｙｓｉｃａｌ  Ｃｏｎｔｒｏｌ  Ｃｈａｎｎｅｌ）を有し、それぞれ直交符号により拡散されたあと、実数軸および虚数軸にマッピングされて多重される。上りリンクの１フレームは１０ｍｓｅｃで、１５スロット（ｓｌｏｔ＃０〜ｓｌｏｔ＃１４）で構成されている。ＤＰＤＣＨチャネルはＱＰＳＫ変調の直交するＩチャンネルにマッピングされ、ＤＰＣＣＨチャネルはＱＰＳＫ変調の直交するＱチャンネルにマッピングされる。ＤＰＤＣＨチャネルの各スロットはｎビットで構成され、ｎはシンボル速度に応じて変化する。制御データを送信するＤＰＣＣＨチャネルの各スロットは１０ビットで構成され、シンボル速度は１５ｋｓｐｓ一定であり、パイロットＰＩＬＯＴ、送信電力制御データＴＰＣ、トランスポート・フォーマット・コンビネーション・インジケータＴＦＣＩ、フィードバック情報ＦＢＩを送信する。
・アウターループ送信電力制御
ところで、通信中の移動速度の変化や移動による伝搬環境の変化により、所望の品質（ブロックエラーレート＝ＢＬＥＲ：Ｂｌｏｃｋ  Ｅｒｒｏｒ  Ｒａｔｅ）を得るために必要なＳＩＲは一定ではない。なお、ＢＬＥＲとは一定期間におけるトランスポートブロック（ＴｒＢｋ）の総数とＣＲＣエラーとなったＴｒＢｋ数の比率である。
これらの変化に対応するために、ＢＬＥＲを観測し、観測値が目標ＢＬＥＲよりも悪ければ目標ＳＩＲを増加させ、良ければ目標ＳＩＲを減少させる制御が行われる。このように所望品質を実現するために目標ＳＩＲを適応的に変更する制御は、アウターループ送信電力制御（ｏｕｔｅｒ−ｌｏｏｐ  ＴＰＣ）として周知である。
図２１は周知のアウターループ制御のブロック図である。この方式では、基地局３から送信された信号は復調器４ａで復調されたあと、誤り訂正復号器４ｂで復号される。そのあとＣＲＣ検出器４ｃにおいて、トランスポートブロックＴｒＢｋに分割された後、各ＴｒＢｋ毎にＣＲＣ誤り検出が行われる。各トランスポートブロックＴｒＢｋの誤り検出結果は目標ＳＩＲ制御部４ｄへ伝えられる。
現在標準化が行われているＷ−ＣＤＭＡでは送信側において図２２に示すように符号化を行っている。すなわち、単位伝送時間（Ｔｒａｎｓｍｉｓｓｉｏｎ  Ｔｉｍｅ  Ｉｎｔｅｒｖａｌ：ＴＴＩ）内にトランスポートブロックＴｒＢｋが複数個（Ｎ個）存在すれば、送信側のＣＲＣ付加回路はトランスポートブロックＴｒＢｋ毎にＣＲＣ（Ｃｙｃｌｉｃ  Ｒｅｄｕｎｄａｎｃｙ  Ｃｏｄｅ）誤り検出符号を生成して送信データに付加し、符号器はＮ個のＣＲＣ付きのトランスポートブロックＴｒＢｋを結合して畳み込み符号やターボ符号などの誤り訂正符号により符号化する。受信側では、誤り訂正復号器４ｂが受信データに誤り訂正復号化処理を施して復号結果をＣＲＣ検出器４ｃに入力する。ＣＲＣ検出器４ｃは、復号結果を構成するトランスポートブロックＴｒＢｋ毎にＣＲＣ誤り検出を行って誤り検出結果を目標ＳＩＲ制御部４ｄに入力する。
目標ＳＩＲ制御部４ｄには、個別チャネルＤＣＨ（ＤｅｄｉｃａｔｅｄＣＨ）呼が張られて直後、上位アプリケーションから、音声、パケット、非制限デジタルなどのＤＣＨのサービス種別によって各サービスでの所要ＢＬＥＲが指定される。この所要ＢＬＥＲをＢＬＥＲｑｕａｌｉｔｙ、ＢＬＥＲを測定するＴｒＢｋ数をＴｍａｘ、ＢＬＥＲ測定後、測定ＢＬＥＲが所要ＢＬＥＲより悪い場合に目標ＳＩＲを上げる更新量をＳｉｎｃ（ｄＢ）、測定ＢＬＥＲが所要ＢＬＥＲよりよい場合に目標ＳＩＲを下げる更新量をＳｄｅｃ（ｄＢ）とした場合、ＴｍａのＢＬＥＲ測定期間においてＣＲＣ  ＮＧ（ＣＲＣエラー）が１つでもあれば、目標ＳＩＲの更新をＳｉｎｃで行い、全てＣＲＣ  ＯＫならば目標ＳＩＲの更新をＳｄｅｃで行ない、トータルで見た場合に目標ＳＩＲが一定のレベルにおちつくことを基本概念とし、下式
2004114551.tif 000003
を満たすように、Ｓｉｎｃ，Ｓｄｅｃ，Ｔｍａｘ値を決定する。なお、（１−ＢＬＥＲｑｕａｌｉｔｙ）Ｔｍａｘは、Ｔｍａｘ回連続で正しい確率を示し、（１−（１−ＢＬＥＲｑｕａｌｉｔｙ）Ｔｍａｘ）は、Ｔｍａｘ回のうちに誤りが一つでもある確率を示す。
すなわち、Ｔｍａｘ数のＴｒＢｋに対して、ＢＬＥＲ測定を行い、全てのＴｒＢｋがＣＲＣ  ＯＫの場合は、目標ＳＩＲをＳｄｅｃだけ更新し、ＣＲＣ  ＮＧ（ＣＲＣエラー）が１つでもあれば、目標ＳＩＲをＳｉｎｃだけ更新する処理を行う。
Ｓｉｎｃ，Ｓｄｅｃ，Ｔｍａｘ値は、各サービスの所要ＢＬＥＲで一意に決まる値である。従って、複数トランスポートチャネル（以後、ＴｒＣＨと略）が１物理チャネル（以後、ＰｈＣＨと略）にマッピングされている場合、各ＴｒＣＨに対してＳｉｎｃ，Ｓｄｅｃ，Ｔｍａｘ値が存在することになる。
・３ＧＰＰにおける規格
３ＧＰＰ  ＴＳ２５．１０１に、基地局からのｄｏｗｎｌｉｎｋ送信について、ＢＬＥＲ所要品質ＢＬＥＲｑｕａｌｉｔｙ以上の電力で送信した場合に基地局からの送信パワーを下げる制御を行い、ＢＬＥＲの所要品質ＢＬＥＲｑｕａｌｉｔｙ以下の電力で送信した場合に基地局からの送信パワーを上げる制御を行なうことが規定されている。この際、ＢＬＥＲ所要品質に引き込むまでの時間Ｔ１が規定されている。すなわち、Ｔ１区間＝５００ｍｓと規定されている。
▲１▼規格１
下りパワーコントロール制御を開始してからＴ１時間内に所要ＢＬＥＲを満たすためにＤＰＣＨ  ＳＩＲを−３ｄＢ〜＋４ｄＢの範囲に引き込む必要がある（初期引き込みという）。
▲２▼規格２
また、Ｔ２区間＝５００ｍｓという規定もあり、Ｔ１区間後、初期引き込みで決定したＤＰＣＨ  ＳＩＲ値を５００ｍｓの間に更に−３ｄＢ〜＋１ｄＢの範囲に収束させる必要もある（定常状態とという）。
従来の実装技術では、目標ＳＩＲを更新する周期がＴｍａｘ数のＢＬＥＲ測定後と一意に決まっている。このため、もし、その測定周期が上記Ｔ１時間以内に入らないと、初期の目標ＳＩＲからＴ１時間以上目標ＳＩＲが更新されないために、規格１通りの初期引き込みができない可能性がある。
逆に目標ＳＩＲを更新する周期が短すぎる場合は、目標ＳＩＲの更新頻度が高いために、定常状態での引き込みが規定範囲をはずれてオーバシュート、アンダーシュートを発生する可能性がある。
▲３▼規格３
また、３ＧＰＰ  ＴＳ２５．１０１に、測定ＢＬＥＲを所要ＢＬＥＲの±３０％範囲に収める旨の規格の記載がある。
・解決しようとする問題点
▲１▼問題点１
従来の実装技術では、目標ＳＩＲの更新周期、目標ＳＩＲの更新値がサービス毎に指定される所要ＢＬＥＲ毎に一意に決定されるために、あるサービス接続中、それらの値は一定である。
しかし、実際には、移動局の置かれている環境により、伝播環境は刻々と変化する。このため、例えば、非常に伝播環境の悪い走行状態などＢＬＥＲが非常に劣化する環境においては、測定ＢＬＥＲが所要ＢＬＥＲの規格３に追従できない可能性がある。
▲２▼問題点２
さらに、装置全体で考えると、アンテナ部特性、高周波信号をベースバンド信号にダウンコンバートさせる受信部特性、ベースバンド信号に対して逆拡散処理を施す復調部特性、さらに逆拡散されたシンボル信号に対して誤り訂正を施す復号部の各部の特性は装置仕様等によって異なることがある。このため、ある装置での特性と別仕様の装置では特性が異なる。すなわち、ＢＬＥＲ対ＳＣＲ特性が装置仕様等によって異なる。例えば、ＡＮＴ形状的にホイップアンテナの有無によって受信感度が変わり、あるいは誤り訂正部の軟判定ビット幅の相違で復号特性が変わり、ホイップアンテナの有無や軟判定ビット幅の相違によりＢＬＥＲ対ＳＣＲ特性が異なってしまう。以上から所定のＢＬＥＲ対ＳＣＲ特性に基づいて目標ＳＩＲを制御する従来方法では、装置によっては所要ＢＬＥＲを満足できない事態が発生する。
▲３▼問題点３
さらに、複数ＴｒＣＨを１物理チャネル上にマッピングする場合、例えばＴｒＣＨ１，２の２つのＴｒＣＨを多重する場合、各ＴｒＣＨの所要ＢＬＥＲに対するＳＩＲ（ＢＬＥＲ対ＳＩＲ特性）が図２３（Ａ）、（Ｂ）に示すように違う。すなわち、ＴｒＣＨ１の所要ＢＬＥＲを満たすＳＩＲはＡ、ＴｒＣＨ２の所要ＢＬＥＲを満たすＳＩＲはＢである。このため、そのままＴｒＣＨ多重した場合、両方のＴｒＣＨの所要品質を同時に満たすことができない。
そこで、かかる問題点を解決するための３ＧＰＰ規格がある。この３ＧＰＰ規格は、各ＴｒＣＨの所要品質を満たすよう、レートマッチングアトリビュートパラメータ（ＲＭ）に重みずけを行い、品質の良い特性をもつＴｒＣＨと品質の悪いＴｒＣＨの特性を互いに近づけることである。レートマッチングアトリビュートの重みずけ方法を図２３の（Ａ），（Ｂ）の２つの特性を重ね合わせた図２４（Ａ）を参照して説明する。ＴｒＣＨ１の所要ＢＬＥＲを満たすＳＩＲがＡ（ｄＢ）、ＴｒＣＨ２の所要ＢＬＥＲを満たすＳＩＲがＢ（ｄＢ）とおき、その２つのＴｒＣＨ多重時の所要ＢＬＥＲを満たすＳＩＲをα（ｄＢ）とおく。ＴｒＣＨ１の所要ＢＬＥＲに対するＳＩＲ  Ａ（ｄＢ）と２つのＴｒＣＨ多重時の所要ＢＬＥＲを満たすＳＩＲ  α（ｄＢ）との差分はα−Ａ（ｄＢ）である。同様に、ＴｒＣＨ２の所要ＢＬＥＲに対するＳＩＲ  Ｂ（ｄＢ）と２つのＴｒＣＨ多重時の所要ＢＬＥＲを満たすＳＩＲα（ｄＢ）との差分はＢ−α（ｄＢ）である。
これらの差分値のｄＢ換算をはずした値は、新しいレートマッチングアトリビュートＲＭ１′、ＲＭ２′と重み付け前のレートマッチングアトリビュートＲＭ１、ＲＭ２との比率に相当するため次式
ＲＭ１′／ＲＭ１＝１０（α−Ａ）／１０
ＲＭ２′／ＲＭ２＝１０（Ｂ−α）／１０
が成り立つ。上式を満たすように、ＴｒＣＨ１，２の新しいレートマッチングアトリビュートＲＭ１′、ＲＭ２′を決定し、該レートマッチングアトリビュートにより重みずけを行なうことにより、異なる所要ＢＬＥＲをそれぞれ有する複数のＴｒＣＨを多重したときの所要ＢＬＥＲを満足させることができる。すなわち、複数ＴｒＣＨを１物理チャネルにマッピングした場合、上記のレートマッチングアトリビュートの重み付けで各ＴｒＣＨのＳＩＲ対ＢＬＥＲ特性が図２４（Ｂ）に示すように変化する。この図２４（Ｂ）より多重時の各ＴｒＣＨ１，ＴｒＣＨ２の所要ＢＬＥＲをＢＬＥＲｘとすれば、該ＢＬＥＲｘに対するＳＩＲ（＝α）を目標ＳＩＲとすることにより、各ＴｒＣＨの所要ＢＬＥＲ（＝ＢＬＥＲｘ）を満足することができる。
しかし、各ＴｒＣＨのサービスに対して一意に決められているパラメータαを所要ＢＬＥＲに対する目標ＳＩＲとする従来技術では、低品質ＴｒＣＨ単独でデータ送信する場合、該ＴｒＣＨの所要ＢＬＥＲを満足することができなくなる。すなわち、低品質ＴｒＣＨ２単独で送信する場合，α＜Ｂとなって低品質ＴｒＣＨの所要ＢＬＥＲを満足することができなくなる。なお、α＞Ａであるため、ＴｒＣＨ１については所要ＢＬＥＲを満たすことはできる。
▲４▼問題点４
さらに、複数ＴｒＣＨを多重する場合、所要ＢＬＥＲの±３０％範囲という規格（規格３）を満たせなくなる場合がある。例えば、あるサービスのＴｒＣＨの所要ＢＬＥＲが５×１０−３の場合、そのＴｒＣＨの規格は３．５×１０−３〜６．５×１０−３となり、もう一方のサービスのＴｒＣＨの所要ＢＬＥＲが５×１０−２の場合、そのＴｒＣＨの規格範囲は３．５×１０−２〜６．５×１０−２となり、両者の規格幅が重ならない。かかる場合には規格３を満足できなくなる。
ところで、移動通信システムにおける送信電力制御の従来技術がある（特許文献１）。この従来技術では、受信信号の受信誤り率を検出し、該受信誤り率と予め設定された目標受信誤り率とを比較し、比較結果に基づいて目標とする目標受信信号電力対干渉電力比（ＳＩＲ）又は目標とする目標受信電力値を補正し、該補正されたＳＩＲ又目標受信電力値に基づいて、送信側の送信電力を制御する。
又、別の送信電力制御の従来技術がある（特許文献２）。この従来技術では、目標ＳＩＲを受信信号の誤り率を測定し、この誤り率により目標ＳＩＲを変更するものである。受信信号の誤り率は、ＣＲＣ信号を用いてフレーム単位で検出し、あるいは、一定周期で挿入されている既知のパイロット信号の誤りを検出することで取得する。
しかし、これら従来技術は、特性の異なる各装置の所要ＢＬＥＲを満足するように目標ＳＩＲを制御できない。又、これら従来技術は、伝搬環境が変化しても、伝搬環境に応じて目標ＳＩＲを更新したり、更新周期を制御できず、結局、伝搬環境変動時に所要ＢＬＥＲを満足することができない。さらに、これら従来技術は、ＴｒＣＨ単独で使用する場合でも、複数ＴｒＣＨを多重する場合にも所要のＢＬＥＲを満足できるように目標ＳＩＲを更新することができない。また、規格を満足するように目標ＳＩＲを制御することもできない。
【特許文献１】特開平２００２−１６５４５号
【特許文献２】ＷＯ９７／５０１９７
本発明の目的は、伝搬環境が変化しても、伝搬環境に応じて目標ＳＩＲを更新したり、目標ＳＩＲの更新周期を制御して伝搬環境変動時に所要ＢＬＥＲを満足できるようにすることである。
本発明の別の目的は、装置に関係なく所要ＢＬＥＲを満足できるように目標ＳＩＲを設定することである。
本発明の別の目的は、ＴｒＣＨ単独で使用する場合でも、又、複数ＴｒＣＨを多重する場合にも所要のＢＬＥＲを満足できるように目標ＳＩＲを更新できるようにすることである。
本発明の別の目的は、規格を満足するように目標ＳＩＲを制御することである。
本発明の別の目的は、各ＴｒＣＨが同時に規格３を満足できなければ、少なくても１つのＴｒＣＨの所要ＢＬＥＲを満足できるようにすることである。
【発明の開示】
本発明は、受信側で受信データのエラーレートと目標エラーレートを比較して目標とする希望波／干渉波比率（ＳＩＲ）を制御し、測定ＳＩＲが目標ＳＩＲに一致するように送信側に送信電力制御を行わせる送信電力制御方法である。
本発明の第１の態様では、予めエラーレート（ＢＬＥＲ）とＳＩＲの対応特性を測定して保存しておき、目標エラーレートに対する第１のＳＩＲと測定されたエラーレートに対する第２のＳＩＲを前記特性より求め、前記第１のＳＩＲと第２のＳＩＲとの差分で前記目標ＳＩＲを増減して該目標ＳＩＲを更新する。第１の態様によれば、ＢＬＥＲ対ＳＩＲ特性を測定しておくことにより、装置特性に関係なく所要のＢＬＥＲを満足する目標ＳＩＲを設定することができる。また、サービス品質に応じて前記特性を保存しておき、サービス品質に応じた特性を用いて前記目標ＳＩＲを更新する。このようにすれば、任意のサービスであっても所要ＢＬＥＲを満足することができる。
本発明の第２の態様では、複数トランスポートチャネルを多重して送信する場合のエラーレートとＳＩＲの対応特性を、各トランスポートチャネル毎に、予め測定して保存しておき、複数トランスポートチャネルを多重して送信する場合、各トランスポートチャネルにおける目標エラーレートに対する第１のＳＩＲと測定されたエラーレートに対する第２のＳＩＲを該特性より求め、トランスポートチャネル毎に、前記第１のＳＩＲと第２のＳＩＲとの差分で前記目標ＳＩＲを増減して該目標ＳＩＲを更新する。第２の態様によれば、複数ＴｒＣＨの多重送信時のＢＬＥＲ対ＳＩＲ特性を測定しておくことにより、多重送信時にも所要のＢＬＥＲを満足する目標ＳＩＲを設定することができる。
第２の態様において、各トランスポートチャネルにおける所要エラーレート範囲が重ならない場合、より高い品質が要求されるトランスポートチャネルの所要エラーレート値を満たすように目標ＳＩＲを更新する。このようにすれば、所要エラーレート範囲が重ならない場合であっても両方のＴｒＣＨで所要ＢＬＥＲを満足することができる。
又、第２の態様において、各トランスポートチャネルにおける所要エラーレート範囲が重ならない場合、より低い品質が要求されるトランスポートチャネルの所要エラーレート値を満たすように目標ＳＩＲを更新する。このようにすれば、所要エラーレート範囲が重ならない場合であっても少なくとも一方のＴｒＣＨで所要ＢＬＥＲを満足することができ、しかも、他方のＴｒＣＨで目標ＳＩＲを低いレベルに設定でき、基地局からのダウンリンク電力を最も低く制御することができる。
本発明の第３の態様では、第１の規定時間Ｔ１内にエラーレートを所要エラーレートの規定範囲内に引き込むために、第１の周期ｔ１で前記目標ＳＩＲを更新し、引き込み後、第２の規定時間Ｔ２内にエラーレートを前記規定範囲内に収束させるために、第１周期より長い第２の周期ｔ２で前記目標ＳＩＲを更新する。
具体的には、所要エラーレートと比較するための測定エラーレートを取得するために要する時間と前記第１の規定時間Ｔ１を比較して前記第１の周期ｔ１を決定し、この第１の周期ｔ１で引き込み時に目標ＳＩＲを更新する。又、第２の時間ｔ２（＞ｔ１）、あるいは、ｔ２＝α・ｔ１としたときのα（＞１）を予め保存しておき、引き込み後にこの第２の周期ｔ２で目標ＳＩＲを更新する。なお、所要エラーレートと比較するための前記測定エラーレートを取得するために要する時間が前記第１の規定時間Ｔ１より大きい場合には、初期設定の目標ＳＩＲを所要のエラーレートを満足するに足るほど高く設定し、前記第１の周期ｔ１をエラー有無判定周期とし、該周期でエラー発生を調べ、エラーが発生しなければ目標ＳＩＲを所定量減少し、エラーが発生した時引き込み完了と判定する。
第３の態様によれば、規格を満足するように目標ＳＩＲを更新することができる。
本発明の第４の態様において、予め静的な環境における第２周期ｔ２のＳＩＲの変動幅を保存しておき、実際のＳＩＲの変動幅が前記保存されている変動幅より設定値以上であれば、前記第２周期を短くする。
また、本発明の第５の態様において、前記第２周期ｔ２より長いエラーレート測定期間を設け、その期間のエラーレートが所要エラーレートより設定値以上劣化している場合には目標ＳＩＲを所定量増加し、所要エラーレートより設定値以上良好の場合には目標ＳＩＲを所定量減少する。
第４、第５の態様によれば、伝搬環境が悪化しても伝搬環境の変化に追従して目標ＳＩＲを制御して所要のＳＩＲを満足することができる。
【図面の簡単な説明】  図１は第１実施例の移動局における送信電力制御装置の構成図ある。
図２はＢＬＥＲｑｕａｌｉｔｙを１ｄＢステップ刻みで可変した時の該エラーレートＢＬＥＲｑｕａｌｉｔｙを達成できるＳＩＲを実験的に取得してテーブル化した例である。
図３は各サービス毎に所要エラーレートＢＬＥＲｑｕａｌｉｔｙを達成できるＳＩＲ（ＳＩＲ−ＡＭＲ，ＳＩＲ−ＵＤＩ，ＳＩＲ−ＰＫＴ）を実験的に取得してテーブル化した例である。
図４はＢＬＥＲ対ＳＩＲ特性を取得するための構成図である。
図５は直線近似の説明図である。
図６は２種類のサービス例である。
図７は第１実施例の目標ＳＩＲ更新処理フローである。
図８は第１実施例の第２の目標ＳＩＲ更新処理フローである。
図９は第２実施例の送信電力制御装置の構成図である。
図１０は第２実施例の処理フローである。
図１１は２つのＴｒＣＨを多重して送信する場合における第３実施例の第１の説明図である。
図１２は２つのＴｒＣＨを多重して送信する場合における第３実施例の第２の説明図である。
図１３は２つのＴｒＣＨを多重して送信する場合における第３実施例の第３の説明図である。
図１４は２つのＴｒＣＨを多重して送信する場合における第３実施例の第４の説明図である。
図１５は２つのＴｒＣＨを多重して送信する場合における第３実施例の第５の説明図である。
図１６は第６実施例に適用する場合の非制限デジタルデータの規格説明図である。
図１７は第４実施例の送信電力制御装置の構成図である。
図１８は第４実施例の処理フローである。
図１９は従来のインナーループ送信電力制御の説明図である。
図２０は上りリンクの個別物理チャネルＤＰＣＨフレームの構成図である。
図２１は周知のアウターループ制御のブロック図である。
図２２は符号化説明図である。
図２３は各ＴｒＣＨの所要ＢＬＥＲに対するＳＩＲ特性（ＢＬＥＲ対ＳＩＲ特性）である。
図２４は２つの特性を重ね合わせた場合のＢＬＥＲ対ＳＩＲ特性である。
【発明を実施するための最良の形態】  （Ａ）第１実施例
図１は第１実施例の移動局における送信電力制御装置の構成図である。
移動局の無線部１１は基地局からの信号を受信し、周波数変換、直交検波してベースバンド信号にして復調部１２に入力する。復調部１２の逆拡散部は受信信号に逆拡散処理を施して拡散を解き、シンボルデータにする。ＳＩＲ測定部１３は、逆拡散を行った受信信号の希望波電力レベルとその時の干渉波電力レベルの比率（ＳＩＲ）を測定する。比較部１４は目標ＳＩＲ（＝ＳＩＲＴＧＴ）と測定ＳＩＲを比較し、ＴＰＣビット生成部１５は測定ＳＩＲが目標ＳＩＲより大きければＴＰＣビットで送信電力を下げるコマンドを作成し、測定ＳＩＲが目標ＳＩＲより小さければＴＰＣビットで送信電力をあげるコマンドを作成する。変調部１６の拡散変調部は、符号部１７で符号化された送信データ（音声，ＵＤＩ，パケットデータなど）及びＴＰＣビットを拡散変調する。無線部１８は拡散変調された信号に直交変調、周波数変換、電力増幅などの処理を施してアンテナより基地局に向けて送信する。基地局は、移動局２から受信した信号に逆拡散処理を施し、受信データ、ＴＰＣビットを復調し、該ＴＰＣビットで指示されたコマンドにしたがって送信電力増幅器の送信電力を制御する。以上はインナー制御である。
インナー制御と並行して、復号部２１は、復調データ（軟判定ビット幅を有するシンボルデータ）にデインタリーブ処理、ビタビ復号もしくはターボ復号による誤り訂正復号化処理を施し、さらにレートマッチング処理によりレピテションもしくはパンクチュアされているビットを元に戻し、復号結果をＣＲＣチェッカー（ＣＲＣ検出器）２２に入力する。
ＣＲＣ検出器２２は、復号結果を構成するトランスポートブロックＴｒＢｋ毎にＣＲＣ誤り検出を行って誤り検出結果をＢＬＥＲ測定部２３に入力する。ＢＬＥＲ測定部２３は所定時間内におけるエラーレート（測定ＢＬＥＲ＝誤りブロック数／総ブロック数）を測定して目標ＳＩＲ更新制御部２４に入力する。目標ＳＩＲ更新制御部２４は所要ＢＬＥＲに対するＳＩＲ（＝ＳＩＲ２）と測定ＢＬＥＲに対するＳＩＲ（＝ＳＩＲ１）をＲＯＭ２５に予め登録されているＢＬＥＲ対ＳＩＲ特性より求め、これらＳＩＲ２とＳＩＲ１との差分ΔＳＩＲで目標ＳＩＲ（＝ＳＩＲＴＧＴ）を増減し（ＳＩＲＴＧＴ＝ＳＩＲＴＧＴ＋ΔＳＩＲ）、該目標ＳＩＲを比較部１４に設定する。なお、規格では所要ＢＬＥＲの±３０％に入れば良いので、測定ＢＬＥＲが所要ＢＬＥＲの±３０％に入っていれば目標ＳＩＲ（＝ＳＩＲＴＧＴ）を増減しないように制御することもできる。
・ＢＬＥＲ対ＳＩＲ特性の保存
ＲＯＭ２５には、予め移動端末装置の所要エラーレートＢＬＥＲｑｕａｌｉｔｙと該エラーレートＢＬＥＲｑｕａｌｉｔｙを達成できるＳＩＲの対応特性（ＢＬＥＲ対ＳＩＲ）が測定されて保存されている。図２は、ＢＬＥＲｑｕａｌｉｔｙを１ｄＢステップ刻みで可変した時の該エラーレートＢＬＥＲｑｕａｌｉｔｙを達成できるＳＩＲを実験的に取得してテーブル化した例である。実際には、サービスとしてＡＭＲ音声サービス、ＵＤＩサービス、パケットサービスがあり、それぞれのサービスに対するＢＬＥＲ対ＳＩＲが異なるため、図３に示すように各サービス毎に所要エラーレートＢＬＥＲｑｕａｌｉｔｙを達成できるＳＩＲ（ＳＩＲ−ＡＭＲ，ＳＩＲ−ＵＤＩ，ＳＩＲ−ＰＫＴ）を実験的に取得してテーブル化して保存する。
また、複数ＴｒＣＨが１物理チャネル（ＰｈＣＨ）に多重されている場合、サービスが異なる各ＴｒＣＨの所要ＢＬＥＲを同時に満足させるためにレートマッチングアトリビュートの重みずけ処理が行なわれる。この処理のために、各サービスのＢＬＥＲ対ＳＩＲ特性が単独時と複数ＴｒＣＨ多重時とで異なる。そこで、予め複数のサービスの組み合わせ毎のＢＬＥＲ対目標ＳＩＲ特性を測定し、テーブル化してＲＯＭ２５に保存する（図３のＳＩＲ−Ｍｕｌｔｉ参照）。現在、音声データとパケットを多重して伝送するサービスが行われているから、音声ＴｒＣｈとパケットＴｒＣＨを多重する場合について所要エラーレートＢＬＥＲｑｕａｌｉｔｙを達成できるＳＩＲ（ＳＩＲ＿Ｍｕｌｔｉ）を実験的に取得してテーブル化して保存する。なお、前記重み付け処理した多重時における音声ＴｒＣｈとパケットＴｒＣＨの特性が異なる場合には、それぞれのＴｒＣｈの特性を保存する。
以上より、目標ＳＩＲ更新制御部２４は、別途上位レイヤアプリケーション２６より入力されているサービス種別に応じたＢＬＥＲ対ＳＩＲ特性を用いて所要ＢＬＥＲに対するＳＩＲ（＝ＳＩＲ２）と測定ＢＬＥＲに対するＳＩＲ（＝ＳＩＲ１）を求め、これらＳＩＲ２とＳＩＲ１との差分ΔＳＩＲ（＝ＳＩＲ２−ＳＩＲ１）で目標ＳＩＲ（＝ＳＩＲＴＧＴ）を増減して該目標ＳＩＲを更新して比較部１４に設定する。
・ＢＬＥＲ対ＳＩＲ特性の取得法
図４はＢＬＥＲ対ＳＩＲ特性を取得するための構成図であり、５１は干渉波発生器、５２は基地局シミュレータ（ＢＴＳ）、５３は移動局（ＭＳ）、５４はパソコン（ＰＣ）、５５、５６はアッテネータ（レベル調整器）、５７は合成器である。基地局シミュレータ５２と移動局５３間の上り／下り信号リンクを、他システムからの干渉を防ぐために有線で接続し、基地局シミュレータ５２から移動局５３への下り信号リンクにはアッテネータ５６を接続して希望波信号レベルを調整可能な構成にする。また、干渉波発生器５１からの出力にアッテネータ５を接続して干渉波信号レベルを調整可能な構成にし、合成器５７で希望波と干渉波を合成して下り信号として移動局５３に入力する構成にする。更に、移動局５３は下り信号のＢＬＥＲ測定値、ＳＩＲ測定値をそれぞれパソコン５３に出力し、パソコン側でその値をモニタ可能な構成とする。
ＢＬＥＲ対ＳＩＲ特性を取得するに際して、希望波レベルをアッテネータ５６で調整し、干渉波レベルをアッテネータ５５で調整してＳＩＲのレベルを調整する。また、基地局シミュレータ５２の設定で基地局シミュレータと移動局間で送受信するサービス種別（ＡＭＲ、ＵＤＩ、パケット、マルチコールなど）の設定を行う。アッテネータ調整によるＳＩＲレベルの確定、基地局シミュレータ設定によるサービス種別の確定後に、基地局シミュレータ・移動局間の起動を行い、あるサービスについてデータの送受信を行い、パソコン５４で移動局５３のＢＬＥＲ測定値、ＳＩＲ測定値をモニタする。以上により、１つのポイントでのＳＩＲ測定値−ＢＬＥＲ測定値を取得でき、以後、アッテネータ調整を段階的に行って複数ポイントでのＳＩＲ測定値−ＢＬＥＲ測定値を取得する。これにより、所定サービスのＢＬＥＲ対ＳＩＲ特性が取得できる。同様に他サービス、マルチコールのＢＬＥＲ対ＳＩＲ特性を取得して図１のＲＯＭ２５に設定する。
・ＢＬＥＲ対ＳＩＲの直線近似
以上では，ＢＬＥＲ対ＳＩＲ特性について、例えば、１ｄＢステップ毎にＢＬＥＲとその時のＳＩＲとを保存した場合であるが、簡易的に直線近似してＢＬＥＲ対ＳＩＲ特性を保存することもできる。図５は直線近似の説明図であり、ＢＬＥＲ対ＳＩＲ特性上の２点のデータのみ保持しておき、その傾きとＳＩＲ＝０時のＢＬＥＲの高さとから、所要ＢＬＥＲに対する目標ＳＩＲを算出する。例えば、１ポイント目のＢＬＥＲ対ＳＩＲ（ｄＢ）データがａ１，ｂ１（ｄＢｍ），とし、２ポイント目のデータがａ２，ｂ２（ｄＢｍ），とした場合、傾きは
（ａ２−ａ１）／１０（ｂ２−ｂ１）／１０
となり、さらにＳＩＲ＝０時の収束ＢＬＥＲをｃとおくと、次式
ＢＬＥＲ＝（ａ２−ａ１）／１０（ｂ２−ｂ１）１０×ＳＩＲ＋ｃ
が成り立つ。従って、上式により所要ＢＬＥＲｑｕａｌｉｔｙからＳＩＲ２を算出し、また測定ＢＬＥＲから同様にＳＩＲ１を算出し、この差分より目標ＳＩＲ（＝ＳＩＲＴＧＴ）を更新する。
・規格を満足するための目標ＳＩＲ更新周期ｔ１，ｔ２の決定法
初期引き込み５００ｍｓを満足するために、各サービスのＢＬＥＲ測定可能なＴｒＢｋ総数になった時点で、ＢＬＥＲ対ＳＣＲ特性より所要ＢＬＥＲと測定ＢＬＥＲのＳＩＲをそれぞれ求め、目標ＳＩＲ更新処理を行なう。
もし、所要ＢＬＥＲ測定可能時間が５００ｍｓで間に合わなければ、その際は目標ＳＩＲの初期値を所要のＢＬＥＲが満足できる（ＣＲＣ  ＯＫになる）値より十分に高めに設定し、送信時間間隔ＴＴＩ（Ｔｒａｎｓｍｉｓｓｉｏｎ  Ｔｉｍｅ  Ｉｎｔｅｒｖａｌ）周期でＣＲＣチェックを行い、ＣＲＣエラーを検出したら初期引き込みが終了、定常状態に移行したとみなす。
例えば、図６に示す２種類のサービスを考える。
パケットの場合、規格の下限３．５Ｅ−０２（＝３．５×１０−２）を測定するために１／３．５×１０−２＝２９個以上のＴｒＢｋ総数が必要である。初期状態において、パケットはＴＴＩ＝１０ｍｓであり、１ＴＴＩ当たりのＴｒＢｋ数は０，１，２，４，８，１２個であるが、最大の１２個で考えると、３ＴＴＩ＝３０ｍｓで２９個以上になる。この３０ｍｓは、引き込みの規格時間５００ｍｓに対して十分短い。そこで、３０ｍｓを初期引き込み時における目標ＳＩＲ更新周期ｔ１とする。そして、３０ｍｓ毎にＢＬＥＲを測定し、パケットサービスのＢＬＥＲ対ＳＩＲ特性から測定ＢＬＥＲに応じたＳＩＲ（＝ＳＩＲ１）と、所要ＢＬＥＲ時のＳＩＲ（＝ＳＩＲ２）を求め、これらの差分ΔＳＩＲを目標ＳＩＲ（＝ＳＩＲＴＧＴ）の更新値とし、ＳＩＲＴＧＴ＝ＳＩＲＴＧＴ＋ΔＳＩＲを新目標ＳＩＲとして比較部１４（図１）に入力する。
定常状態遷移後、目標ＳＩＲ更新周期ｔ２は３０×αｐｋｔとする（ｔ２＝ｔ１×αｐｋｔ）。周期ｔ２あるいは係数αｐｋｔ（＞１）は予め決定されてＲＯＭに保存されている。この係数αｐｋｔは、ｔ２が３０ｍｓ〜５００ｍｓ内であり、静的状態における通常運用時で試験を行って３ＧＰＰの規格時間Ｔ２の規定が守られる値に決定されている。
更新周期ｔ２毎にＢＬＥＲを測定し、パケットサービスのＢＬＥＲ対ＳＩＲ特性から測定ＢＬＥＲに応じたＳＩＲ（＝ＳＩＲ１）と、所要ＢＬＥＲ時のＳＩＲ（＝ＳＩＲ２）を求め、これらの差分ΔＳＩＲを目標ＳＩＲ（＝ＳＩＲＴＧＴ）の更新値とし、ＳＩＲＴＧＴ＝ＳＩＲＴＧＴ＋ΔＳＩＲを新目標ＳＩＲとして比較部１４（図１）に入力する。
ＡＭＲの場合、規格の下限３．５Ｅ−０３（＝３．５×１０−２）を測定するために１／３．５×１０−２＝２８６個以上のＴｒＢｋ総数が必要である。初期状態において、音声はＴＴＩ＝２０ｍｓであり、１ＴＴＩ当たりのＴｒＢｋ数は１個であるので、ＢＬＥＲ測定時間は２８６×２０ｍｓ＝５７２０ｍｓとなり、初期引き込みの規格時間５００ｍｓ以上になる。このため、目標ＳＩＲの初期値を充分高めから開始し、目標ＳＩＲ更新期間ｔ１をＣＲＣチェック周期である２０ｍｓとし、２０ｍｓ毎にＣＲＣチェックを行い、ＣＲＣエラーが発生したか否かを監視し、ＣＲＣエラーが発生しなければ、目標ＳＩＲを所定量減少し、ＣＲＣエラーが発生した時点を初期引き込みが終了したと判断する（初期状態）。
定常状態遷移後、更新周期ｔ２は２０×αａｍｒとする（ｔ２＝ｔ１×αａｍｒ）。ｔ２あるいは係数αａｍｒ（＞１）は予め決定されてＲＯＭ２５に保存されている。この係数αａｍｒは、ｔ２が２０ｍｓ〜５００ｍｓ内であり、静的状態における通常運用時で試験をこない、ＣＲＣエラーが発生すれば目標ＳＩＲを＋側に更新、ＣＲＣエラーが発生しなければ−側に更新し、３ＧＰＰの規格Ｔ２時間の規定が守られる範囲で決定する。
・第１の処理フロー
図７は第１実施例の目標ＳＩＲ更新処理フローであり、測定ＢＬＥＲを取得するに要する時間が３ＧＰＰ規格１の規定時間Ｔ１以下の場合である。
目標ＳＩＲ更新制御部２４は、上位レイヤアプリケーション２６から入力されるサービス種別情報に基づいてＴｒＣＨ多重通信であるか、ＴｒＣＨ単独通信であるか、単独通信であればサービス内容を識別し、所要ＢＬＥＲに応じたＳＩＲをサービス種別に応じたＢＬＥＲ対ＳＩＲ特性を用いて求め、該ＳＩＲを目標ＳＩＲとして比較部１４に設定する（ステップ１０１）。又、ＢＬＥＲ測定部２３は、上位レイヤアプリケーション２６から入力されるＴＴＩ、１ＴＴＩ当りのＴｒＢｋ数（ブロック数）及び所要ＢＬＥＲに基づいて、ＢＬＥＲを測定するために必要とする測定時間を計算し、該測定時間が３ＧＰＰ規格の引き込み規定時間Ｔ１（＝５００ｍｓ）以下であることを確認し、該測定時間を引き込み状態における目標ＳＩＲ更新周期ｔ１とする（ステップ１０２）。
そして、以後、更新周期ｔ１毎にＢＬＥＲを測定して目標ＳＩＲ更新制御部２４に入力する（ステップ１０３）。
目標ＳＩＲ更新制御部２４は、サービス種別に応じたＢＬＥＲ対ＳＩＲ特性を用いて所要ＢＬＥＲに対するＳＩＲ（＝ＳＩＲ２）と測定ＢＬＥＲに対するＳＩＲ（＝ＳＩＲ１）を求める（ステップ１０４）。そして、測定ＢＬＥＲに対するＳＩＲ（＝ＳＩＲ１）が、３ＧＰＰの規格１の引き込み範囲（−３ｄＢ〜＋４ｄＢ）に入ったかチェックし（ステップ１０５）、入っていなければ、ＳＩＲ２とＳＩＲ１との差分ΔＳＩＲを計算し、ＳＩＲＴＧＴ＝ＳＩＲＴＧＴ＋ΔＳＩＲにより目標ＳＩＲ（＝ＳＩＲＴＧＴ）を増減して該目標ＳＩＲを更新して比較部１４に設定し（ステップ１０６〜１０８）、ステップ１０３以降の処理を繰返す。
ステップ１０５において３ＧＰＰの規格１の引き込み範囲（−３ｄＢ〜＋４ｄＢ）に入れば、定常状態に推移し，ＢＬＥＲ測定部２３は定常状態の目標ＳＩＲ更新周期ｔ２を次式
ｔ２＝ｔ１×α
により計算する（ステップ１０９）。なお、αはパケットサービスの場合にはαｐｋｔ、ＡＭＲ音声サービスの場合にはαａｍｒ、非制限デジタルサービスの場合にはαｕｄｉであり、ＲＯＭ２５に予め登録されている。
以後、ＢＬＥＲ測定部２３は更新周期ｔ２毎にＢＬＥＲを測定して目標ＳＩＲ更新制御部２４に入力する（ステップ１１０）。
目標ＳＩＲ更新制御部２４は、サービス種別に応じたＢＬＥＲ対ＳＩＲ特性を用いて所要ＢＬＥＲに対するＳＩＲ（＝ＳＩＲ２）と測定ＢＬＥＲに対するＳＩＲ（＝ＳＩＲ１）を求め（ステップ１１１）、ＳＩＲ２とＳＩＲ１との差分ΔＳＩＲを計算し、ＳＩＲＴＧＴ＝ＳＩＲＴＧＴ＋ΔＳＩＲにより目標ＳＩＲ（＝ＳＩＲＴＧＴ）を更新して比較部１４に設定する（ステップ１１２〜１１４）。しかる後、通信が完了したかチェックし（ステップ１１５）、終了してなければステップ１１０以降の処理を繰返す。
・第２の処理フロー
図８は第１実施例の第２の目標ＳＩＲ更新処理フローであり、測定ＢＬＥＲを取得するに要する時間が３ＧＰＰ規格１の規定時間Ｔ１より大きくなる場合を考慮した処理フローである。
目標ＳＩＲ更新制御部２４は上位レイヤアプリケーション２６から入力されるサービス種別情報に基づいてＴｒＣＨ多重通信であるか、ＴｒＣＨ単独通信であるか、単独通信であればサービス内容を識別し、所要ＢＬＥＲに応じたＳＩＲをサービス種別に応じたＢＬＥＲ対ＳＩＲ特性を用いて求め、該ＳＩＲを目標ＳＩＲとして比較部１４に設定する（ステップ２０１）。
又、ＢＬＥＲ測定部２３は、上位レイヤアプリケーション２６から入力されるＴＴＩ、１ＴＴＩ当りのＴｒＢｋ数（ブロック数）及び所要ＢＬＥＲに基づいて、ＢＬＥＲを測定するために必要とする測定時間を計算し（ステップ２０２）、該測定時間が３ＧＰＰ規格の引き込み規定時間Ｔ１（＝５００ｍｓ）以上であるか確認し（ステップ２０３）、測定時間が規定時間Ｔ１より小さければ、該測定時間を引き込み状態における目標ＳＩＲ更新周期ｔ１とし、図７のステップ１０３以降の処理を実行する（ステップ２０４）。
一方、ステップ２０３において、測定時間が規定時間Ｔ１より大きければ、目標ＳＩＲの初期値を充分高めから開始し、目標ＳＩＲ更新期間ｔ１をＣＲＣチェック周期（＝ＴＴＩ周期）とし（ステップ２０５）、該周期毎にＣＲＣチェックを行い（ステップ２０６）、ＣＲＣエラーが発生したか否かを監視し（ステップ２０７）、ＣＲＣエラーが発生しなければ、目標ＳＩＲを所定量減少し（ステップ２０８）、ステップ２０６に戻る。一方、ＣＲＣエラーが発生すれば、その時点を初期引き込みが終了したと判断し、以後、図７のステップ１０９以降の処理を実行する（ステップ２０９）。
（Ｂ）第２実施例
移動局の移動速度が速い場合、セル間干渉の頻度の多さ、及び、マルチパスフェージングなどの伝播環境の影響のために、ＳＩＲの変動によるＢＬＥＲ劣化が発生して所要ＢＬＥＲを満足できない可能性がある。このため、伝搬環境によりＳＩＲ変動が発生した場合、目標ＳＩＲ更新制御により目標ＳＩＲを瞬時に該変動に追従させる必要がある。そこで、第２実施例では、ある一定時間あたりの受信信号のＳＩＲ測定結果の変動をモニターし、ＳＩＲの変動幅が設定値以上大きければ目標ＳＩＲの更新周期ｔ２を短くし、逆に変動幅が小さければ目標ＳＩＲの更新周期を長目にする。
図９は第２実施例の送信電力制御装置の構成図であり、図１の第１実施例と同一部分には同一符号を付している。異なる点は、▲１▼ＳＩＲ変動測定部３１を設け、一定時間あたりの受信信号のＳＩＲ変動を測定している点、▲２▼ＲＯＭ２５にＳＩＲ変動幅の設定値を保存している点、▲３▼測定ＳＩＲ変動と設定値の大小に基づいてＳＩＲ更新周期ｔ１を可変制御している点である。
例えば、予め静的環境におけるパケットサービスにおいて、ＳＩＲ更新周期ｔ２（＝３０×αｐｋｔ（ｍｓ））でＳＩＲ変動測定を行い、その変動幅をΔＳＩＲｐｋｔ＿ｓｔａｔｉｃ（ｄＢ）とおき、ＲＯＭ２５に値を保持しておく。パケット呼確立後、定常状態に遷移してから、ＳＩＲ変動測定部３１は更新周期ｔ２毎に定常状態時におけるＳＩＲ変動幅ΔＳＩＲｐｋｔ（ｄＢ）を測定して目標ＳＩＲ更新制御部２４に入力する。
目標ＳＩＲ更新制御部２４は、静的状態におけるＳＩＲ変動幅ΔＳＩＲｐｋｔ＿ｓｔａｔｉｃ（ｄＢ）と実際に通信中のＳＩＲ変動幅ΔＳＩＲｐｋｔとの差を計算し、該差（ΔＳＩＲｐｋｔ−ΔＳＩＲｐｋｔ＿ｓｔａｔｉｃ）が例えば３ｄＢ程度以上の差があるかチェックする。３ｄＢ程度の差があれば、実際に通信中のＳＩＲ変動幅は静的状態より２倍程度大きいと判断し、そのＳＩＲ変動に対して目標ＳＩＲの更新を追従するために、更新周期ｔ２を（３０×αｐｋｔ）／２（ｍｓ）と半分にする。これにより、目標ＳＩＲ更新が早まり伝搬環境の変化によるＳＩＲ変動に追従することが可能となる。
尚、変動幅が小さくなった時には元の更新期間（３０×αｐｋｔ）に戻す。又、サービスによってはパッケトサービスなどバースト受信されて、受信データがない状態があるサービスがある。かかるサービスに関しては、受信データが無い状態ではＢＬＥＲ測定のＴｒＢｋ総数、ＣＲＣエラーＴｒＢｋ数はカウントしないようにし、実質的にデータ受信がある間でのＢＬＥＲ測定を行い、該測定ＢＬＥＲに応じたＳＩＲを求めてＳＩＲ変動幅を求めて上記制御を行う。
又、第１実施例の目標ＳＩＲの更新制御と第２実施例の更新周期変動制御は伝播環境変化に瞬時に追従することを目的に併用して行なうものとする。
図１０は第２実施例の処理フローであり、第１実施例の図７の処理フローと同一処理部分には同一符号を付している。第１の異なる点は、ステップ１１１の測定ＢＬＥＲに応じたＳＩＲ（＝ＳＩＲ１）を求めた時、更新期間ｔ２におけるＳＩＲ変動幅を求め、該変動幅がＲＯＭ２５に設定されている設定範囲を超えているかチェックし（ステップ３０１）、越えていれば更新期間ｔ２を１／２に短縮して（ステップ３０２）、ステップ１１２以降の処理を実行する点である。又、第２の異なる点は、ステップ３０１において測定ＳＩＲ変動幅が設定範囲内であれば、それまで更新期間ｔ２が短縮状態にあったかチェックし（ステップ３０３）、更新期間ｔ２が短縮状態になければステップ１１２以降の処理を実行し、更新期間ｔ２が短縮状態にあれば、更新期間ｔ２を１段階元に戻し（ステップ３０４）、ステップ１１２以降の処理を実行する点である。
（Ｃ）第３実施例
複数ＴｒＣＨが１物理チャネル（ＰｈＣＨ）に多重されている場合（マルチコール）、サービスが異なる各ＴｒＣＨの所要ＢＬＥＲを同時に満足させるためにレートマッチングアトリビュートの重みずけ処理が行なわれる。この処理のために、各サービスのＢＬＥＲ対ＳＩＲ特性が単独時と複数ＴｒＣＨ多重時では異なる。そこで、予め複数のサービスの組み合わせ毎のＢＬＥＲ対目標ＳＩＲ特性を測定し、テーブル化してＲＯＭ２５に保存する（図３のＳＩＲ−Ｍｕｌｔｉ参照）。
ところで、レートマッチングアトリビュートの重みずけ処理により、多重する２つのサービスのそれぞれのＢＬＥＲ対ＳＩＲ特性が一致する場合には一致したＢＬＥＲ対ＳＩＲ特性を１つだけ保存するだけで良いが、図１１に示すように完全には一致しないのが普通である。従って、通常はサービスの組み合せ種類毎に各サービスのＢＬＥＲ対ＳＩＲ特性を別個に保存する。第３実施例は、異なるサービスの複数ＴｒＣＨを多重して送信する場合の送信電力制御であり、第３実施例を実現する送信電力制御装置の構成は図１と同じである。
・多重ＴｒＣＨの所要ＢＬＥＲ範囲が重なる場合の制御
図１１のようにあるサービスのＴｒＣＨ１と別のサービスのＴｒＣＨ２の所要ＢＬＥＲ範囲ａ，ｂが重なる場合（斜線）には、重なる範囲内のＢＬＥＲ１２をＴｒＣＨ１，ＴｒＣＨ２の所要ＢＬＥＲとする。
ＢＬＥＲ測定部２３（図１）は多重ＴｒＣＨ（ＴｒＣＨ１，ＴｒＣＨ２）毎の測定ＢＬＥＲをＳＩＲ更新周期で目標ＳＩＲ更新制御部２４に入力する。
目標ＳＩＲ更新制御部２４は、ＴｒＣＨ１の測定ＢＬＥＲが入力されると、多重時における該ＴｒＣＨ１のサービスに応じたＢＬＥＲ対ＳＩＲ特性Ａ（図１１参照）から測定ＢＬＥＲに応じたＳＩＲ（＝ＳＩＲ１）を求めると共に所要ＢＬＥＲ（＝ＢＬＥＲ１２）のＳＩＲ（＝β）を求め、これらの差分ΔＳＩＲ（＝β−ＳＩＲ１）を用いて次式
ＳＩＲＴＧＴ＝ＳＩＲＴＧＴ＋ΔＳＩＲ
により新目標ＳＩＲ（ＳＩＲＴＧＴ）を求めて比較部１４に入力する。
又、目標ＳＩＲ更新制御部２４は、ＴｒＣＨ２の測定ＢＬＥＲが入力されると、多重時における該ＴｒＣＨ２のサービスに応じたＢＬＥＲ対ＳＩＲ特性Ｂ（図１１参照）から測定ＢＬＥＲに応じたＳＩＲ（＝ＳＩＲ１′）を求めると共に所要ＢＬＥＲ（＝ＢＬＥＲ１２）のＳＩＲ（＝α）を求め、これらの差分ΔＳＩＲ′（＝α−ＳＩＲ１′）を用いて次式
ＳＩＲＴＧＴ＝ＳＩＲＴＧＴ＋ΔＳＩＲ′
により新目標ＳＩＲ（ＳＩＲＴＧＴ）を求めて比較部１４に入力する。なお、ＴｒＣＨ１の差分ΔＳＩＲ、ＴｒＣＨ２の差分ΔＳＩＲ′を合成した値（ΔＳＩＲ＋ΔＳＩＲ′）を用いて次式
ＳＩＲＴＧＴ＝ＳＩＲＴＧＴ＋（ΔＳＩＲ＋ΔＳＩＲ′）
により新目標ＳＩＲを求めて比較部１４に入力するように構成することもできる。
・多重ＴｒＣＨの所要ＢＬＥＲ範囲が重ならない場合の第１の制御
図１２、図１３に示すようにあるサービスのＴｒＣＨ１と別のサービスのＴｒＣＨ２の所要ＢＬＥＲ範囲ａ，ｂが重ならない場合には、ＴｒＣＨ１，ＴｒＣＨ２の所要ＢＬＥＲのうち小さい方（良い方）の所要ＢＬＥＲを多重通信における所要ＢＬＥＲとする。
▲１▼ＴｒＣＨ１，２の測定ＢＬＥＲが両方とも所要ＢＬＥＲ規格よりも悪い場合（図１２）。
ＴｒＣＨ１の測定ＢＬＥＲと所要ＢＬＥＲとの差をΔＢＬＥＲＴｒＣＨ１、ＴｒＣＨ２の測定ＢＬＥＲと所要ＢＬＥＲとの差をΔＢＬＥＲＴｒＣＨ２とする。
図１２では、ΔＢＬＥＲＴｒＣＨ２＞ΔＢＬＥＲＴｒＣＨ１なので、ＴｒＣＨ２を選択し、多重ＴｒＣＨの場合のＴｒＣＨ２のＢＬＥＲ対ＳＩＲ特性データをＲＯＭ２５から読み出し、所要ＢＬＥＲ時のＳＩＲ値と測定ＢＬＥＲ時のＳＩＲ値との差分である、ΔＳＩＲＴｒＣＨ２値を＋側のＳＩＲ更新値とする。
▲２▼ＴｒＣＨ１，２の測定ＢＬＥＲが両方とも所要ＢＬＥＲ規格よりもよい場合（図１３）。
ＴｒＣＨ１の測定ＢＬＥＲと所要ＢＬＥＲとの差をΔＢＬＥＲＴｒＣＨ１、ＴｒＣＨ２の測定ＢＬＥＲと所要ＢＬＥＲとの差をΔＢＬＥＲＴｒＣＨ２とする。
図１３では、ΔＢＬＥＲＴｒＣＨ１＞ΔＢＬＥＲＴｒＣＨ２なので、ＴｒＣＨ２を選択し、多重ＴｒＣＨの場合のＴｒＣＨ２のＢＬＥＲ対ＳＩＲ特性データをＲＯＭ２５から読み出し、所要ＢＬＥＲ時のＳＩＲ値と測定ＢＬＥＲ時のＳＩＲ値との差分である、ΔＳＩＲＴｒＣＨ２値を−側のＳＩＲ更新値とする。
・多重ＴｒＣＨの所要ＢＬＥＲ範囲が重ならない場合の第２の制御
図１４、図１５に示すようにあるサービスのＴｒＣＨ１と別のサービスのＴｒＣＨ２の所要ＢＬＥＲ範囲ａ，ｂが重ならない場合には、ＴｒＣＨ１，ＴｒＣＨ２の所要ＢＬＥＲのうち大きい方（悪い方）の所要ＢＬＥＲを多重通信における所要ＢＬＥＲとする。このようにすれば、１つのＴｒＣＨの測定ＢＬＥＲが所要ＢＬＥＲ品質規格を満足し、そのＴｒＣＨのみ測定ＢＬＥＲが所要ＢＬＥＲ規格になり、他のＴｒＣＨは規格外となるが、最も、目標ＳＩＲを低いレベルにすることが可能であり、規格４を満足しつつ基地局からのｄｏｗｎｌｉｎｋ電力を最も低くできる。
▲１▼ＴｒＣＨ１，２の測定ＢＬＥＲが両方とも所要ＢＬＥＲ規格よりも悪い場合（図１４参照）。
ＴｒＣＨ１の測定ＢＬＥＲと所要ＢＬＥＲとの差をΔＢＬＥＲＴｒＣＨ１、ＴｒＣＨ２の測定ＢＬＥＲと所要ＢＬＥＲとの差をΔＢＬＥＲＴｒＣＨ２とする。
図１４では、ΔＢＬＥＲＴｒＣＨ２＞ΔＢＬＥＲＴｒＣＨ１なのでＴｒＣＨ１を選択し、多重ＴｒＣＨのＴｒＣＨ１のＢＬＥＲ対ＳＩＲ特性データをＲＯＭ２５から読み出し、所要ＢＬＥＲ時のＳＩＲ値と測定ＢＬＥＲ時のＳＩＲ値との差分であるΔＳＩＲＴｒＣＨ１値を＋側のＳＩＲ更新値とする。
▲２▼ＴｒＣＨ１，２の測定ＢＬＥＲが両方とも所要ＢＬＥＲ規格よりもよい場合（図１５）。
ＴｒＣＨ１の測定ＢＬＥＲと所要ＢＬＥＲとの差をΔＢＬＥＲＴｒＣＨ１、ＴｒＣＨ２の測定ＢＬＥＲと所要ＢＬＥＲとの差をΔＢＬＥＲＴｒＣＨ２とする。
図１５では、ΔＢＬＥＲＴｒＣＨ１＞ΔＢＬＥＲＴｒＣＨ２なのでＴｒＣＨ１を選択し、多重ＴｒＣＨのＴｒＣＨ１のＢＬＥＲ対ＳＩＲ特性データをＲＯＭ２５から読み出し、所要ＢＬＥＲ時のＳＩＲ値と測定ＢＬＥＲ時のＳＩＲ値との差分であるΔＳＩＲＴｒＣＨ１値を−側のＳＩＲ更新値とする。
（Ｄ）第４実施例
第４実施例では、第１〜第３実施例の目標ＳＩＲ更新制御に加えて、目標ＳＩＲの更新周期ｔ１より長めのタイマを設け、その間のＢＬＥＲ測定を行い、その値が規格幅よりもかけ離れている場合、目標ＳＩＲ更新制御を行い、走行時等、移動局の高速移動時における伝播環境変化に目標ＳＩＲが追従するように制御する。
例えば、ＳＩＲ更新周期ｔ２より長いある一定期間（Ｔｃｏｎｓｔ）の間、ＢＬＥＲ測定を行い、測定ＢＬＥＲが規格値よりオーダが１桁高い場合、目標ＳＩＲを一定量（Ｓｉｎｃ＿ｃｏｎｓｔ）上げる方向に更新し、規格値よりオーダが１桁低い場合、目標ＳＩＲを一定量（Ｓｄｅｃ＿ｃｏｎｓｔ）下げる方向に更新する。または、ある一定期間（Ｔｃｏｎｓｔ）の間、ＢＬＥＲ測定を行い、測定ＢＬＥＲが規格幅よりも劣化している場合、目標ＳＩＲを一定量（Ｓｉｎｃ＿ｃｏｎｓｔ）上げる方向に更新し、逆に規格幅よりもよい場合、目標ＳＩＲを一定量（Ｓｄｅｃ＿ｃｏｎｓｔ）下げる方向に更新する。パラメータＴｃｏｎｓｔ、Ｓｉｎｃ＿ｃｏｎｓｔ、Ｓｄｅｃ＿ｃｏｎｓｔは外部で容易に変更可能な構成にしておく。
あるサービスの１ＴＴＩ当りのＴｒＢｋ数をＴｒＢｋ＿ｎとすれば、一定時間Ｔｃｏｎｓｔ当りのトータルＴｒＢｋ数（＝Ｔｏｔａｌ＿ｂｌｋ）は
Ｔｏｔａｌ＿ｂｌｋ＝（Ｔｃｏｎｓｔ／ＴＴＩ）×ＴｒＢｋ＿ｎ
となり、その間のＣＲＣエラーブロック数をｃｒｃ＿ｎｇとすると、Ｔｃｏｎｓｔ（ｍｓ）後のＢＬＥＲは次式
ＢＬＥＲ＝ｃｒｃ＿ｎｇ／Ｔｏｔａｌ＿ｂｌｋ
により計算される。このＢＬＥＲ値が、規格値よりオーダレベルではずれているか、あるいは、規格幅をはずれているかどうかを判定し、判定結果に基づいて目標ＳＩＲを制御する。
例えば非制限デジタルデータ規格が図１６の場合を考える。
この場合、一定期間Ｔｃｏｎｓｔ（ｍｓ）の間の測定ＢＬＥＲが１．０Ｅ−０４（＝１．０×１０−４）以上だった場合、規格幅に対して、オーダレベルで差が発生している。このため、かかる場合はＳｉｎｃ＿ｃｏｎｓｔ（ｄＢ）だけ目標ＳＩＲの更新を行う。また、もし、測定ＢＬＥＲが１．０Ｅ−０５（＝１．０×１０−５）以下だった場合も、オーダレベルで差が発生しているため、Ｓｄｅｃ＿ｃｏｎｓｔ（ｄＢ）だけ目標ＳＩＲの更新を行なう。
この補正処理は、例えば、移動機が高速走行をしている時など、単位時間あたりの目標ＳＩＲの変動幅が非常に大きいときなどに第１〜第３実施例と併用するなどして、さらに精度よくｄｏｗｎｌｉｎｋ伝播環境の変動に目標ＳＩＲを追従させることが可能になる。
図１７は第４実施例の送信電力制御装置の構成図であり、図１の第１実施例と同一部分には同一符号を付している。第１実施例と異なる点は、第２ＢＬＥＲ測定部４１、ＢＬＥＲ比較部４２、補正部４３を設けた点である。第２ＢＬＥＲ測定部４１は、第１実施例における目標ＳＩＲ更新期間ｔ２より長いスパンＴｃｏｎｓｔでＢＬＥＲ測定を行ない、ＢＬＥＲ比較部４２は第２ＢＬＥＲ測定部４１で測定された測定ＢＬＥＲと規格値を比較し、差が設定レベル以上であるか判定し、補正部４３はＢＬＥＲ比較部４２の比較結果に基づいて目標ＳＩＲ（＝ＳＩＲＴＧＴ）を増減する。増加量はＳｉｎｃ＿ｃｏｎｓｔ（＞０）、減少量はＳｄｅｃ＿ｃｏｎｓｔ（＜０）である。
図１８は第４実施例の処理フローであり、処理４０１は第２ＢＬＥＲ測定部４１の処理、処理４０２はＢＬＥＲ比較部４２の処理、処理４０３は補正部４３の処理であり、第１実施例〜第３実施例の処理と並行して行われる。第１〜第３実施例による目標ＳＩＲの更新量を第１更新幅ΔＳＩＲ１とし、第４実施例による更新量を第２更新幅ΔＳＩＲ２として説明する。
アウターループ制御開始後（ステップ４０１ａ）、第２ＢＬＥＲ測定部４１はＢＬＥＲ測定を始め、一定期間Ｔｃｏｎｓｔが経過するまでＢＬＥＲ測定を継続する（ステップ４０１ｂ，４０１ｃ）。一定期間Ｔｃｏｎｓｔが経過すれば、ＢＬＥＲ測定結果をＢＬＥＲ比較部４２に入力する（ステップ４０１ｄ）。
ＢＬＥＲ比較部４２は、ＢＬＥＲ測定結果を受信すれば、該ＢＬＥＲ測定値と上位レイヤアプリケーション２６から設定されている規定ＢＬＥＲとを比較し、ＢＬＥＲ測定値と規定ＢＬＥＲの差が規格幅以上であるか判定し（ステップ４０２ａ）、差が規格幅以内であれば第２更新幅ΔＳＩＲ２＝０とする（ステップ４０２ｂ）。しかし、差が規格幅以上であれば、ＢＬＥＲが劣化しているか、良好であるか判定し（ステップ４０２ｃ），劣化している場合には第２更新幅ΔＳＩＲ２＝Ｓｉｎｃ＿ｃｏｎｓｔとし（ステップ４０２ｄ）、良好の場合には第２更新幅ΔＳＩＲ２＝Ｓｄｅｃ＿ｃｏｎｓｔとする（ステップ４０２ｅ）。
補正部４３は、ＢＬＥＲ比較部４２より第２更新幅ΔＳＩＲ２を受信すれば（ステップ４０３ａ），次式
ＳＩＲＴＧＴ＝ＳＩＲＴＧＴ＋ΔＳＩＲ２
により目標ＳＩＲ（＝ＳＩＲＴＧＴ）を補正して比較部１４に入力する（ステップ４０３ｂ）。なお、呼切断などによりアウターループ制御が終了する場合は、図１８の各部の処理は即時に終了する。
（Ｅ）本発明の効果
本発明によれば、初期引き込み時間の規格、及び、その後の初期引き込みで確定した目標ＳＩＲへの追従時間の規格を満足できる。また、本発明によれば、各サービスの所要ＢＬＥＲ規格を意識して目標ＳＩＲ更新制御を行なうため、より精度のよい下りパワーコントロール制御が可能となる。
又、本発明によれば、個別ＴｒＣＨ通信時でも多重ＴｒＣＨの通信時でも下りパワーコントロール制御を精度よく行なうことが可能となる。
また、本発明によれば、複数ＴｒＣＨが多重されている時、各ＴｒＣＨの所要ＢＬＥＲ範囲が重ならない場合、一つのＴｒＣＨに対してＢＬＥＲ測定値をＢＬＥＲ範囲内に入れ、他のＴｒＣＨに対して規格以上にＢＬＥＲ測定をよい状態にできるため、全てのＴｒＣＨの品質を規格以上に制御可能となる。
また、本発明によれば、複数ＴｒＣＨが多重されている時、各ＴｒＣＨの所要ＢＬＥＲ範囲が重ならない場合、一つのＴｒＣＨに対してＢＬＥＲ測定値をＢＬＥＲ範囲内に入れ、他のＴｒＣＨに対して規格以下の品質となるが、目標ＳＩＲの更新を一番低く保てるため、基地局からの下り電力を最も低く抑えることが可能となる。
また、本発明によれば、伝搬環境の変動を監視し、変動が大きい場合、別個に並行して目標ＳＩＲの更新制御を行なうために、受信伝播環境が変動する環境において、より精度よく目標ＳＩＲ更新制御を行なうことが可能となる。
【図１】
2004114551.tif 000004
【図２】
2004114551.tif 000005
【図３】
2004114551.tif 000006
【図４】
2004114551.tif 000007
【図５】
2004114551.tif 000008
【図６】
2004114551.tif 000009
【図７】
2004114551.tif 000010
【図８】
2004114551.tif 000011
【図９】
2004114551.tif 000012
【図１０】
2004114551.tif 000013
【図１１】
2004114551.tif 000014
【図１２】
2004114551.tif 000015
【図１３】
2004114551.tif 000016
【図１４】
2004114551.tif 000017
【図１５】
2004114551.tif 000018
【図１６】
2004114551.tif 000019
【図１７】
2004114551.tif 000020
【図１８】
2004114551.tif 000021
【図１９】
2004114551.tif 000022
【図２０】
2004114551.tif 000023
【図２１】
2004114551.tif 000024
【図２２】
2004114551.tif 000025
【図２３】
2004114551.tif 000026
【図２４】
2004114551.tif 000027
【国際調査報告】
2004114551.tif 000028
2004114551.tif 000029
2004114551.tif 000030